(57)【要約】【課題】小型化した検出装置で簡易且つ高精度に絶縁を監視することができる絶縁監視装置を提供する。【解決手段】高周波数からなる第１の測定用信号ｆ１が測定用注入手段１から電気設備回路１００の接地線１１０に注入され、この第１の測定用信号ｆ１に対応する第１の漏れ電流を漏れ電流検出手段２が検出し、この検出された第１の漏れ電流及び第１の測定用信号ｆ１の関係から第２の測定用信号ｆ２に対応する予測漏れ電流を予測演算手段４が演算し、第２の測定用信号ｆ２を注入した場合に漏れ電流検出手段が検出した第２の漏れ電流と前記予測漏れ電流から活線時の商用周波数ｆ０の漏れ電流を漏れ電流演算手段２が演算するようにしているので、第１の第２の各測定用信号ｆ１、ｆ２を接地線１１０に容易に注入でき、且つ電気設備回路１００の抵抗成分に加え容量成分及びインダクタンス成分のいずれも考慮して漏れ電流を演算できることとなり、装置の小型化と共に絶縁監視を高精度に実行できる。【選択図】　　図１
2004064896.tif 000002
【特許請求の範囲】
【請求項１】
電源側から電気設備回路へ電圧を変圧して印加する変圧器の接地線に予め設定された異なる値の高周波数からなる第１又は第２の測定用信号を注入する測定用信号注入手段と、
前記第１又は第２の測定用信号を注入した場合に、前記電気設備回路の電圧線から前記接地線に流れる第１又は第２の漏れ電流を検出する漏れ電流検出手段と、
前記第１の測定用信号で検出された第１の漏れ電流及び前記第２の測定用信号の比率より当該第２の測定用信号に対応する予測漏れ電流を演算する予測演算手段と、
前記第２の測定用信号で検出された第２の漏れ電流及び前記予測漏れ電流から前記電気設備回路の活線時における商用周波数の漏れ電流を演算する漏れ電流演算手段とを備えることを
特徴とする絶縁監視装置。
【請求項２】
前記請求項１に記載の絶縁監視装置において、
前記検出された第１又は第２の漏れ電流をディジタル信号に変換するＡ／Ｄ変換手段を備え、
前記予測演算手段が前記ディジタル信号をフーリエ変換して予測漏れ電流を演算することを
特徴とする絶縁監視装置
【請求項３】
電源側から電気設備回路へ電圧を変圧して印加する変圧器の接地線に予め設定された異なる値の高周波数からなる第１又は第２の測定用信号を注入し、
前記第１又は第２の測定用信号を注入した場合に、前記電気設備回路の電圧線から前記接地線に流れる第１又は第２の漏れ電流を検出し、
前記第１の測定用信号で検出された第１の漏れ電流及び前記第２の測定用信号の比率より当該第２の測定用信号に対応する予測漏れ電流を演算し、
前記第２の測定用信号で検出された第２の漏れ電流及び前記予測漏れ電流から前記電気設備回路の活線時における商用周波数の漏れ電流を演算することを
特徴とする絶縁監視方法。
【発明の詳細な説明】
【０００１】
【発明の属する技術分野】
本発明は、活線状態で電気設備回路の絶縁監視を行う絶縁監視装置に関し、特に漏洩電流に基づいて絶縁監視を行う絶縁監視装置に関する。
【０００２】
【従来の技術】
従来、この種の絶縁監視装置として特公平１−４３９１１号公報に示されるものがあり、これを図６に全体回路ブロック図として示す。
同図において従来の絶縁監視装置は、電源側から電圧が変圧器を介して電気設備回路１００へ印加され、この電気設備回路１００の接地線１１０に測定用信号ｆ１０である低周波電圧を印加し、この測定用信号ｆ１０が接地側を介して前記電気設備回路１００から接地線１１０に帰還される漏洩電流を検出し、この検出した漏洩電流の有効分を演算してこの演算算出値に基づいて絶縁抵抗を測定し、前記測定用信号ｆ１０を周波数を変えた測定用信号ｆ２０を接地線１１０に印加して前記漏洩電流の有効分を演算してこの演算算出値が変化しないかを検証する構成である。
【０００３】
次に、前記構成に基づいて従来の絶縁監視装置の動作について説明する。まず、活線状態である電気設備回路１００の接地線１１０に発振回路２０１から出力される低周波数の電圧ｅ１０である測定用信号ｆ１０（商用周波数ｆ０とは異なる。）が発振トランスコア２０２を介して印加される。この測定用信号ｆ１０が接地線１１０から電気設備回路１００の接地ＧＮＤを介して零相変流器（ＺＣＴ）２０３により検出される。
【０００４】
このＺＣＴ２０３は、前記測定用信号ｆ１０と共に活線状態で印加される商用周波数ｆ０の電流を検出してフィルタ（ＦＩＬ）２０４へ出力する。このＦＩＬ２０４は、商用周波数ｆ０の成分を除して測定用信号ｆ１０のみを通過させて掛け算器２０５へ出力する。
この掛け算器２０５は、前記発振回路２０１から出力される出力電圧ｅ１０と測定用信号ｆ１０との積を求め、この積算データをローパスフィルタ２０６へ出力する。この積算データ（積算式）がローパスフィルタ２０６により直流項のみを通過させて出力値Ｏｕｔ１０として出力し、この直流項に基づいて絶縁抵抗Ｒを演算する。
この出力値Ｏｕｔ１０が（ｅ１０・Ｖ１）／Ｒで表されることから、前記電気設備回路１００の抵抗成分に印加される電圧Ｖ１と出力出力電圧ｅ１０とが一定であるならば、この電圧Ｖ１及び出力電圧ｅ１０と出力値Ｏｕｔ１０とから絶縁抵抗Ｒを演算できることとなる。
【０００５】
さらに、前記測定用信号ｆ１０をこの測定用信号ｆ１０の低周波数と異なる低周波数値の測定用信号ｆ２０を前記測定用信号ｆ１０の場合と同様に印加して出力値Ｏｕｔ２０を出力する。この測定用信号ｆ２０に基づく出力値Ｏｕｔ２０と前記測定用信号ｆ１０に基づく出力値Ｏｕｔ１０との値が変わらないかを検証することにより絶縁抵抗を検出する。
ここで図７に示すように前記電気設備回路１００の絶縁抵抗Ｒ、浮遊容量Ｃの並列合成値以外に、絶縁劣化等により生じる微地絡状態の場合には抵抗Ｒ１０、静電容量Ｃ１０を直列に接続した回路構成となる。
前記出力値Ｏｕｔ１０と出力値Ｏｕｔ２０とが異なった場合には、前記微地絡が発生していると判断されることから、前記低周波数の各測定用信号ｆ１０、ｆ２０とは異なる低周波数の測定用信号ｆ３０を前記測定用信号ｆ１０、ｆ２０と同様に印加して出力値Ｏｕｔ３０を用いて所定の算式によって電気設備回路１００の絶縁抵抗を検出する。
【０００６】
【発明が解決しようとする課題】
従来の絶縁監視装置は以上のように構成されていたことから、複数の低周波数の測定用信号ｆ１０、ｆ２０、ｆ３０を印加して接地線１１０に注入しなければならず、絶縁監視に用いられる装置構成、特に発振トランスコア２０２及びＺＣＴ２０３が大型化して簡易な絶縁抵抗の検出ができないという課題を有していた。
また、前記従来の絶縁監視装置は低周波数の測定用信号ｆ１０、ｆ２０、ｆ３０を用いていることから、電気設備回路１００の抵抗成分のみを対象とし、電気設備回路１００を構成する容量成分及びインダクタンス成分について測定されないことから高精度な絶縁抵抗の検出ができないという課題を有する。
【０００７】
特に、「主任技術者制度の運用通達」の解釈指針によれば、Ｉｇｒ検出方式による漏れ電流が５０［ｍＡ］以上で警報を発することが定められている。この解釈指針に対して、従来の絶縁監視装置は絶縁抵抗に基づいて漏洩電流Ｉｇｒを求めることができないという課題を有する。
【０００８】
本発明は、前記課題を解消するためになされたもので、小型化した検出装置で簡易且つ高精度に絶縁を監視することができる絶縁監視装置を提供することを目的とする。
【０００９】
【課題を解決するための手段】
本発明に係る絶縁監視装置は、電源側から電気設備回路へ電圧を変圧して印加する変圧器の接地線に予め設定された異なる値の高周波数からなる第１又は第２の測定用信号を注入する測定用信号注入手段と、前記第１又は第２の測定用信号を注入した場合に、前記電気設備回路の電圧線から前記接地線に流れる第１又は第２の漏れ電流を検出する漏れ電流検出手段と、前記第１の測定用信号で検出された第１の漏れ電流及び前記第２の測定用信号の比率より当該第２の測定用信号に対応する予測漏れ電流を演算する予測演算手段と、前記第２の測定用信号で検出された第２の漏れ電流及び前記予測漏れ電流から前記電気設備回路の活線時における商用周波数の漏れ電流を演算する漏れ電流演算手段とを備えるものである。
【００１０】
このように本発明においては、高周波数からなる第１の測定用信号が測定用注入手段から電気設備回路の接地線に注入され、この第１の測定用信号に対応する第１の漏れ電流を漏れ電流検出手段が検出し、この検出された第１の漏れ電流及び第１の測定用信号の関係から第２の測定用信号に対応する予測漏れ電流を予測演算手段が演算し、第２の測定用信号を注入した場合に漏れ電流検出手段が検出した第２の漏れ電流と前記予測漏れ電流から活線時の商用周波数の漏れ電流を漏れ電流演算手段が演算するようにしているので、第１の第２の各測定用信号を接地線に容易に注入でき、且つ電気設備回路の抵抗成分に加え容量成分及びインダクタンス成分のいずれも考慮して漏れ電流を演算できることとなり、装置の小型化と共に絶縁監視を高精度に実行できる。
【００１１】
また、本発明に係る絶縁監視装置は必要に応じて、検出された第１又は第２の漏れ電流をディジタル信号に変換するＡ／Ｄ変換手段を備え、前記予測演算手段が前記ディジタル信号をフーリエ変換して予測漏れ電流を演算するものである。このように本発明においては、検出された第１又は第２の各漏れ電流をディジタル信号に変換し、このディジタル信号をフーリエ変換により予測漏れ電流を演算するようにしているので、より簡易且つ迅速に商用周波数の漏れ電流を演算することができる。
【００１２】
また、本発明に係る絶縁監視方法は、電源側から電気設備回路へ電圧を変圧して印加する変圧器の接地線に予め設定された異なる値の高周波数からなる第１又は第２の測定用信号を注入し、前記第１又は第２の測定用信号を注入した場合に、前記電気設備回路の電圧線から前記接地線に流れる第１又は第２の漏れ電流を検出し、前記第１の測定用信号で検出された第１の漏れ電流及び前記第２の測定用信号の比率より当該第２の測定用信号に対応する予測漏れ電流を演算し、前記第２の測定用信号で検出された第２の漏れ電流及び前記予測漏れ電流から前記電気設備回路の活線時における商用周波数の漏れ電流を演算するものである。
【００１３】
【発明の実施の形態】
以下、本発明の一実施の形態に係る絶縁監視装置を絶縁監視方法と共に図１ないし図５に基づいて説明する。この図１は本発明の一実施の形態に係る絶縁監視装置の全体回路構成図、図２は図１記載の電気設備回路における各等価回路図、図３は図１におけるＦＦＴ演算回路の出力結果を利用した位相関係図、図４は図１に記載の絶縁監視装置における各漏れ電流の実測値と予測値との関係図、図５は、図４の位相関係により求めた商用周波数におけるベクトル図を示す。
【００１４】
前記各図において本実施形態に係る絶縁監視装置は、電源側から電気設備回路１００へ電圧を変圧して印加する変圧器１２０の接地線１１０に予め設定された異なる値の高周波数からなる第１又は第２の測定用信号ｆ１、ｆ２を注入する測定用信号注入手段１と、前記第１又は第２の測定用信号ｆ１、ｆ２を注入した場合に、前記電気設備回路１００の電圧線１１１から前記接地線１１０に流れる第１及び第２の漏れ電流Ｉｇ１、Ｉｇ２を検出する漏れ電流検出手段２と、この第１及び第２の漏れ電流検Ｉｇ１、Ｉｇ２をディジタル値に変換するＡ／Ｄコンバータ３と、前記第１の測定用信号ｆ１で検出された第１の漏れ電流Ｉｇ１及び前記第２の測定用信号ｆ２の比率よりこの第２の測定用信号ｆ２に対応する予測漏れ電流Ｉｇｍを演算する予測演算手段４と、前記第２の測定用信号ｆ２で検出された第２の漏れ電流Ｉｇ２及び前記予測漏れ電流Ｉｇｍから前記電気設備回路１００の活線時における商用周波数ｆ０の漏れ電流Ｉｇｒを演算する漏れ電流演算手段５と、この漏れ電流Ｉｇｒに基づいて表示して警報を発する警報手段６とを備える構成である。
【００１５】
前記測定用信号注入手段１は、予め設定された高周波数の第１の測定用信号ｆ１を発生する第１の正弦波発生回路１１と、予め設定された高周波数の第２の測定用信号ｆ２を発生する第２の正弦波発生回路１２と、この測定用信号ｆ１と測定用信号ｆ２とを切換える指令を入力するスイッチ切換回路１３と、この指令に基づいて測定用信号ｆ１と測定用信号ｆ２とを切換て出力するスイッチ１４と、このスイッチ１４から出力される測定用信号ｆ１又はｆ２を増幅する注入用信号増幅回路１５と、この増幅された測定用信号ｆ１又は測定用信号ｆ２を接地線１１０へ注入する信号注入用ＣＴ１６とを備える構成である。
【００１６】
前記漏れ電流検出手段２は、前記注入された測定用信号ｆ１又はｆ２の電流と商用周波数ｆ０の電流Ｉｏを検出電流（ｆ１＋Ｉｏ又はｆ２＋Ｉｏ）として検出する信号検出用ＣＴ２１と、この検出された検出電流を増幅する検出用信号増幅回路２２とを備える構成である。
前記予測演算手段４は、前記Ａ／Ｄコンバータ３によりディジタル値に変換された検出電流及びスイッチ１４により切換えて出力される測定用信号ｆ１（又は測定用信号ｆ２）に対して高速フーリエ変換を行うことにより第１、第２の測定用信号ｆ１、ｆ２のベクトル値を演算するＦＦＴ（Ｆａｓｔ　Ｆｏｕｒｉｅｒ　Ｔｒａｎｓｆｏｒｍ）回路４１と、各ベクトル値に基づいて測定用信号ｆ２に対応する予測漏れ電流Ｉｇｍを演算する予測漏れ電流演算回路４２とを備える構成である。
【００１７】
前記警報手段６は、前記漏れ電流演算手段５により演算された漏れ電流Ｉｇｒが予め設定された設定時間を継続して出力されたか否かを検出する監視タイマー６１と、この監視タイマー６１の検出結果に基づく警報を発する警報出力回路６２と、前記監視タイマー６１の検出結果を表示する表示装置６３とを備える構成である。
【００１８】
次に、前記構成に基づいて本実施形態に係る絶縁監視装置による電気設備回路の絶縁劣化を漏れ電流により監視する動作について説明する。
まず、スイッチ切換回路１３によりスイッチ１４を正弦波発生回路１１側に切換えてこの正弦波発生回路１１が発生する測定用信号ｆ１を注入用信号増幅回路１５を介して増幅し、この増幅した測定用信号ｆ１を信号注入用ＣＴ１６から電気設備回路１００の接地線１１０に注入する。この電気設備回路１００は図２（Ａ）に示すように実数部としての負荷Ｒ及び線路抵抗ｒ（Ｒ≪ｒ）と虚数部としてのインダクタンスＬ及び容量Ｃ１、Ｃ２から構成される。前記注入された測定用信号ｆ１は電気設備回路１００に印加される商用周波数ｆ０の電流Ｉｏと共に漏れ電流検出手段２の信号検出用ＣＴ２１で検出され、この検出された検出電流ｆ１＋Ｉｏ（又はｆ２＋Ｉｏ）が検出用信号増幅回路２２で増幅される。この検出用信号増幅回路２２による増幅率は、測定用信号ｆ１又は測定用信号ｆ２が電気設備回路１００及び接地線１１０を伝搬する際に減衰する比率を補償する値に設定することもできる。
【００１９】
前記増幅された検出電流ｆ１＋Ｉｏ（又はｆ２＋Ｉｏ）と前記正弦波発生回路１１からの測定用信号ｆ１及び正弦波発生回路１２からの測定用信号ｆ２とがＡ／Ｄコンバータ３へ入力され、各々の値をディジタル値に変換して予測演算手段４へ出力する。このＡ／Ｄコンバータ３は各々入力される検出電流ｆ１＋Ｉｏ（又はｆ２＋Ｉｏ）及び測定用信号ｆ１（又は測定用信号ｆ２）を同時にサンプリングしてディジタル変換を実行する。
【００２０】
このＡ／Ｄコンバータ３によりサンプリングされてディジタル値に変換された検出電流ｆ１＋Ｉｏ（又はｆ２＋Ｉｏ）及び測定用信号ｆ１（又は測定用信号ｆ２）は予測演算手段４のＦＦＴ回路４１で高速フーリエ変換が実行されて各々がベクトル値に演算される。この入出力演算制御部４１により高速フーリエ変換されることから、前記図２（Ａ）に示す電気設備回路１００が同図（Ｂ）に示すような等価回路とすることができ、より単純なＲ、Ｌ、Ｃの回路で表現することが可能となる。即ち、この入出力演算制御部４１の演算結果は、各周波数（ｆ１、ｆ２）に対して実数部と虚数部との和で求められることから、前記図２（Ｂ）に示す簡略化した等価回路とすることができる。
【００２１】
前記入出力演算制御部４１の演算結果に基づいて図３に示すように、接地線１１０に注入する測定用信号ｆ１、ｆ２の周波数ｆによる周波数スペクトラムの電流出力特性図及びこの周波数スペクトラムの電流出力ｉに対応する周波数による電圧出力での特性図である。また、この各特性図による電流出力ｉと電圧出力ｖとの関係より、この電流出力ｉの実数軸成分ｉｒと虚数軸成分ｉｊを求めることができる。この実数軸成分ｉｒは絶縁抵抗により生じるものであり、また虚数軸成分ｉｊは対地静電容量分により生じるものである。
【００２２】
この虚数軸成分ｉｊは、リアクタンス成分が加味された結果であるので、正確な対地静電容量分を示しているものではない。ここで、前記リアクタンス成分を加味して前記実数軸成分ｉｒに対する容量成分Ｃ及びインダクタンス成分Ｌは、図４（Ａ）のようになる。同図（Ａ）おいてインダクタンスＬによるインダクタンス成分ｉＬは、実数軸成分ｉｒに対して９０度遅れで実際には存在し、虚数軸成分ｉｊにこのインダクタンス成分ｉＬを加算したものが容量成分ｉＣである。
【００２３】
ここで、前記第１の正弦波発生回路１１から第２の正弦波発生回路１２へスイッチ切換回路１３より切換えられて出力される測定用信号ｆ２を注入すると前記虚数軸成分ｉｊは、次式で求めることができる。
【００２４】
測定用信号ｆ２注入時の虚数軸成分ｉｊ≠測定用信号ｆ１注入時の虚数軸成分ｉｊ×
（測定用信号ｆ２の値÷測定用信号ｆ１の値）
【００２５】
この式により求められる値が予測値としての虚数軸成分ｉｊである。また、この予測値としての虚数軸成分ｉｊは、一般的にインダクタンスＬによる影響より容量Ｃによる影響が大であり、且つ逆特性であることから、測定用信号ｆ１注入時の虚数軸成分ｉｊ×（測定用信号ｆ２の値÷測定用信号ｆ１の値）が実測した測定用信号ｆ２注入時の虚数軸成分ｉｊの絶対値より大きくなるという関係にある。これらの関係を図４（Ｂ）に測定用信号ｆ１注入時、測定用信号ｆ２の予測値、測定用信号ｆ２注入時の実測値に分けて図示する。
【００２６】
前記図４（Ｂ）において、測定用信号ｆ２注入時に実測される実測虚数軸成分ｉｊ２には、インダクタンスＬによるインダクタンス成分が加味されていることから、測定用信号ｆ２注入時における予測値としてのインダクタンス成分ｉＬ２は測定用信号ｆ１と測定用信号ｆ２の比に測定用信号ｆ１注入時のインダクタンス成分ｉＬ１を乗算した値として得られることとなる。
従って、測定用信号ｆ２注入時の容量成分ｉＣ２は、前記予測値としてのインダクタンス成分ｉＬ２を逆ベクトルとして加算したものである。この測定用信号ｆ２注入時における予測値である虚数軸成分と実測値における虚数軸成分とに差異があることに注目して漏れ電流Ｉｇｒを図５（Ａ）、（Ｂ）、（Ｃ）の順序で求めることとなる。
【００２７】
前記図５のように電気設備回路１００、接地線１１０に流れる電流Ｉ０に対する漏れ電流Ｉｇｒを予測漏れ電流演算回路４２が求めることとなる。
前記ベクトル値の検出電流ｆ１＋Ｉｏと測定用信号ｆ１及び測定用信号ｆ２とから予測漏れ電流演算回路４２が測定用信号ｆ２に対応する予測漏れ電流Ｉｇｍを演算する。前記予測漏れ電流演算回路４２からの予測漏れ電流Ｉｇｍと入出力演算制御部４１からの検出電流ｆ１＋Ｉｏ（又はｆ２＋Ｉｏ）及び測定用信号ｆ１（及び測定用信号ｆ２）とが漏れ電流演算手段５に入力され、これらに基づいて漏れ電流演算手段５が電気設備回路１００の活線時における商用周波数ｆ０の漏れ電流Ｉｇｒを演算する。
この演算された漏れ電流Ｉｇｒは警報手段６の監視タイマー６１により積算され予め設定された設定時間以上出力が継続されているか否かが判断され、継続していると判断された場合には警報出力回路６２から警報が出力されると共に、表示装置６３にその旨が表示される。
【００２８】
【発明の効果】
本発明においては、高周波数からなる第１の測定用信号が測定用注入手段から電気設備回路の接地線に注入され、この第１の測定用信号に対応する第１の漏れ電流を漏れ電流検出手段が検出し、この検出された第１の漏れ電流及び第１の測定用信号の関係から第２の測定用信号に対応する予測漏れ電流を予測演算手段が演算し、第２の測定用信号を注入した場合に漏れ電流検出手段が検出した第２の漏れ電流と前記予測漏れ電流から活線時の商用周波数の漏れ電流を漏れ電流演算手段が演算するようにしているので、第１の第２の各測定用信号を接地線に容易に注入でき、且つ電気設備回路の抵抗成分に加え容量成分及びインダクタンス成分のいずれも考慮して漏れ電流を演算できることとなり、装置の小型化と共に絶縁監視を高精度に実行できるという効果を奏する。
【００２９】
また、本発明においては、検出された第１又は第２の各漏れ電流をディジタル信号に変換し、このディジタル信号をフーリエ変換により予測漏れ電流を演算するようにしているので、より簡易且つ迅速に商用周波数の漏れ電流を演算することができるという効果を有する。
【図面の簡単な説明】
【図１】本発明の一実施の形態に係る絶縁監視装置の全体回路構成図である。
【図２】図１記載の電気設備回路における各等価回路図である。
【図３】図１におけるＦＦＴ演算回路の出力結果を利用した位相関係図である。
【図４】図１に記載の絶縁監視装置における各漏れ電流の実測値と予測値との関係図である。
【図５】図４の位相関係により求めた商用周波数におけるベクトル図である。
【図６】従来の絶縁監視装置の全体回路ブロック図である。
【図７】従来の絶縁監視装置における他の電気設備回路ブロック図である。
【符号の説明】
１　測定用信号注入手段
２　漏れ電流検出手段
３　Ａ／Ｄコンバータ
４　予測演算手段
５　漏れ電流演算手段
６　警報手段
１１、１２　正弦波発生回路
１３　スイッチ切換回路
１４　スイッチ
１５　注入用信号増幅回路
１６　信号注入用ＣＴ
２１　　信号検出用ＣＴ
２２　検出用信号増幅回路
４１　ＦＦＴ回路
４２　予測漏れ電流演算回路
６１　監視タイマー
６２　警報出力回路
６３　表示装置
１００　電気設備回路
１１０　接地線
１１１　電圧線
１２０　変圧器
２０１　発振回路
２０２　発振トランスコア
２０３　零相変流器（ＺＣＴ）
２０４　フィルタ（ＦＩＬ）
２０５　掛け算器
２０６　ローパスフィルタ
ｆ１、ｆ２、ｆ１０、ｆ２０、ｆ３０　　測定用信号
ｆ０　　商用周波数
ｅ１０　　出力電圧
【図１】
2004064896.tif 000003
【図２】
2004064896.tif 000004
【図３】
2004064896.tif 000005
【図４】
2004064896.tif 000006
【図５】
2004064896.tif 000007
【図６】
2004064896.tif 000008
【図７】
2004064896.tif 000009
【手続補正書】
【提出日】平成14年10月24日(2002.10.24)
【手続補正１】
【補正対象書類名】図面
【補正対象項目名】全図
【補正方法】変更
【補正の内容】
【図１】
2004064896.tif 000010
【図２】
2004064896.tif 000011
【図３】
2004064896.tif 000012
【図４】
2004064896.tif 000013
【図５】
2004064896.tif 000014
【図６】
2004064896.tif 000015
【図７】
2004064896.tif 000016